(57)【要約】【課題】液状物を充填してなる非自立型の液状物充填包装体である内装体と、該内装体を安定して保持することのできる外装体とからなり、液状物の容量効率と陳列時等における省スペース化を図ることのできる液状物の液状物充填用複合パックについて提供すること。【解決手段】  軟質の包装袋内に液状物を充填してなる袋状の内装体と、該内装体を収納できる筒状胴体を有し、その筒状胴体の底部には底壁と、その筒状胴体の上端には開口部とを具える箱形の外装体と、からなる液状物充填用複合パックであって、前記内装体は、前記包装袋の上端部または側端上部に突設した液状物注出用シート状ノズルを有し、前記外装体は、前記上端の開口部に、該上端の開口部を塞ぐ天面板と、この天面板から起立させて設けた複数の縦リブとからなる封止構造部を有すること。【選択図】図１
2019089597.tif 000002
【特許請求の範囲】
【請求項１】
軟質の包装袋内に液状物を充填してなる袋状の内装体と、
該内装体を収納できる筒状胴体を有し、その筒状胴体の底部には底壁と、その筒状胴体の上端には開口部とを具える箱形の外装体と、
からなる液状物充填用複合パックであって、
前記内装体は、前記包装袋の上端部または側端上部に突設した液状物注出用シート状ノズルを有し、
前記外装体は、前記上端の開口部に、該上端の開口部を塞ぐ天面板と、この天面板から起立させて設けた複数の縦リブとからなる封止構造部を有することを特徴とする液状物充填用複合パック。
【請求項２】
前記外装体の筒状胴体は、３つもしくはそれ以上の角部を有する箱形柱状体からなり、複数の前記縦リブの少なくとも１つは、該箱形柱状体の平面視において、該角部の少なくとも１つを通る放射状または対角線状に位置していることを特徴とする請求項１に記載の液状物充填用複合パック。
【請求項３】
複数の前記縦リブのうちの一つが、前記液状物注出用シート状ノズルを挟持するカバー縦リブであり、該カバー縦リブは、該液状物注出用シート状ノズルを露出させ得る切り離し予定線を有することを特徴とする請求項１または２に記載の液状物充填用複合パック。
【請求項４】
前記縦リブは、中心部分に切込みを有することを特徴とする請求項１〜３のいずれか１項に記載の液状物充填用複合パック。
【請求項５】
前記縦リブは、前記天面板と連なる一対の起立壁を重ね合わせて形成されてなることを特徴とする請求項１〜４のいずれか１項に記載の液状物充填用複合パック。
【請求項６】
前記縦リブは、一方の起立壁と、他方の起立壁とを相互に連結する少なくとも一の連結片を有することを特徴とする請求項５に記載の液状物充填用複合パック。
【請求項７】
前記連結片は、前記縦リブを構成している各起立壁を相互に離反させる外力の付加により、その部位を起点に該連結片を破断させる切欠き部を有することを特徴とする請求項６に記載の液状物充填用複合パック。
【請求項８】
前記内装体は、少なくとも頂部後方の上端部に、前記外装体と接合する固定部を有することを特徴とする請求項１〜７のいずれか１項に記載の液状物充填用複合パック。
【請求項９】
前記外装体は、前記液状物注出用シート状ノズルの直下に位置する筒状胴体およびその対向位置の筒状胴体の少なくとも二箇所に、該外装体の軸芯に沿って伸延し、該筒状胴体への外力の付加によりその部位を起点に該筒状胴体そのものの押し潰しを可能とする押し潰し予定線を有することを特徴とする請求項１〜８のいずれか１項に記載の液状物充填用複合パック。
【請求項１０】
前記外装体の底壁は、前記押し潰し予定線につながるとともに、前記筒状胴体の押し潰しに合わせて当該底壁を筒状胴体の内方へ向けて屈曲させる屈曲予定線を有する開放構造であることを特徴とする請求項９に記載の液状物充填用複合パック。
【請求項１１】
前記外装体の筒状胴体は、外力を付加することにより胴体壁部を該筒状胴体の内方へ向け局所的に陥没変形可能な一以上の易変形壁を有することを特徴とする請求項１〜１０のいずれか１項に記載の液状物充填用複合パック。
【請求項１２】
前記外装体の筒状胴体は、底壁から上端の開口部に至るまでの全長にわたり略同等の開口面積を有していることを特徴とする請求項１〜１１のいずれか１項に記載の液状物充填用複合パック。
【請求項１３】
前記外装体は、その頭部に、少なくとも前記封止構造部から露出した前記液状物注出用シート状ノズルを覆うための着脱可能なキャップを具えることを特徴とする請求項１〜１２のいずれか１項に記載の液状物充填用複合パック。
【請求項１４】
前記包装袋は、一枚のプラスチックフィルム、あるいは一枚以上のプラスチックフィルムまたは金属製の箔を含む複数枚のプラスチックフィルムを積層させたラミネートフィルムからなり、
前記外装体は、紙または紙を基材としてこれに少なくとも一層のプラスチックフィルムを積層させてなるプラスチックと紙の複合体からなることを特徴とする請求項１〜１３のいずれか１項に記載の液状物充填用複合パック。
【請求項１５】
前記液状物注出用シート状ノズルは、前記包装袋内の液状物の注出を、該包装袋の傾動または包装袋への押圧によって外気を吸い込むことなく行うと共に、包装袋の起立復帰または包装袋への押圧の解除に基づく注出の停止に当っては、前記液状物注出用シート状ノズルの注出通路内面を、包装袋内から流入した液状物の薄膜の介在下で直ちに密閉させることにより、包装袋内への外気の侵入を阻止するセルフシール機能を有することを特徴とする請求項１〜１４のいずれか１項に記載の液状物充填用複合パック。
【発明の詳細な説明】
【技術分野】
【０００１】
本発明は、プラスチックフィルム等からなる包装袋内に液状や粘稠状の液状物を充填包装してなる内装体と、該内装体を紙製等からなる外装体内に収納保持してなる液状物充填用複合パックに関し、とくには、飲料や医薬品、化学品等の液状物を充填してなる非自立型の内装体を安定して保持すると共に、液状物の容量効率の向上と陳列時等における陳列スペースの有効活用を図ることのできる液状物充填用複合パックについて提案する。
【背景技術】
【０００２】
包装袋内に液状物を充填してなる内装体、即ち、液状物充填包装体については、発明者らの提案に係る特許文献１および２に開示されたものがある。この液状物充填包装体に用いられる包装袋は、軟質の積層プラスチックフィルムからなり、該液状物充填包装体自体は自立性も定型性も有していないため、その搬送、保管、使用等に当たっては、自立型の包装袋や容器からなる外装体、即ち、外容器内に収納している。
【先行技術文献】
【特許文献】
【０００３】
【特許文献１】特開２０１０−２６０６１４号公報
【特許文献２】国際公開２０１３／０５４４１１号公報
【発明の概要】
【発明が解決しようとする課題】
【０００４】
上記従来技術に使用されている自立型の外容器（包装袋や容器）はいずれも、収納する液状物充填包装体の起立姿勢時における立体形状に合わせて、下部が平面視多角形等からなる筒状で、胴部が平面視楕円形状、そして上部において板状を呈するように構成されている。そのため、従来の外容器では、上部における液状物の収容容積が小さく（ほとんど無い状態）、紙カートンやペットボトルなどに比べて液状物の容量効率（液状物の容量／外容器高さ）が低いという問題点があった。
【０００５】
また、従来の外容器は、板状となる上部側面が、筒状の下部側面よりも広幅になるため、複数個並べて配置すると、板状上部の側部同士が接触する等して納まりが悪く、またスーパーや商店等の商品棚に陳列する際には、商品名等の記載されている側面側を、正面に向けて並べる必要があるため、陳列スペースが余分に必要になるという問題点があった。
【０００６】
そこで、本発明では、液状物を充填してなる非自立型の液状物充填包装体である内装体と、該内装体を安定して保持することのできる外装体とからなり、液状物の容量効率と陳列時等における省スペース化を図ることのできる液状物充填用複合パックについて提供することを目的とするものである。
【課題を解決するための手段】
【０００７】
従来技術が抱えている上述した課題を克服することのできる外容器を開発すべく鋭意検討を重ねた結果、本発明者は、下記の要旨構成に係る液状物充填用複合パックを開発した。
【０００８】
即ち、本発明は、軟質の包装袋内に液状物を充填してなる袋状の内装体と、該内装体を収納できる筒状胴体を有し、その筒状胴体の底部には底壁と、その筒状胴体の上端には開口部とを具える箱形の外装体と、からなる液状物充填用複合パックであって、
前記内装体は、前記包装袋の上端部または側端上部に突設した液状物注出用シート状ノズルを有し、
前記外装体は、前記上端の開口部に、該上端の開口部を塞ぐ天面板と、この天面板から起立させて設けた複数の縦リブとからなる封止構造部を有することを特徴とする液状物充填用複合パックである。
【０００９】
また、本発明の液状物充填用複合パックは、
（１）前記外装体の筒状胴体は、３つもしくはそれ以上の角部を有する箱形柱状体からなり、複数の前記縦リブの少なくとも１つは、該箱形柱状体の平面視において、該角部の少なくとも１つを通るように放射状または対角線状に位置していること、
（２）複数の前記縦リブのうちの一つが、前記液状物注出用シート状ノズルを挟持するカバー縦リブであり、該カバー縦リブは、該液状物注出用シート状ノズルを露出させ得る切り離し予定線を有すること、
（３）前記縦リブは、中心部分に切込みを有すること、
（４）前記縦リブは、前記天面板と連なる一対の起立壁を重ね合わせて形成されてなること、
（５）前記縦リブは、一方の起立壁と、他方の起立壁とを相互に連結する少なくとも一の連結片を有すること、
（６）前記連結片は、前記縦リブを構成している各起立壁を相互に離反させる外力の付加により、その部位を起点に該連結片を破断させる切欠き部を有すること、
（７）前記内装体は、少なくとも頂部後方の上端部に、前記外装体と接合する固定部を有すること、
（８）前記外装体は、前記液状物注出用シート状ノズルの直下に位置する筒状胴体およびその対向位置の筒状胴体の少なくとも二箇所に、該外装体の軸芯に沿って伸延し、該筒状胴体への外力の付加によりその部位を起点に該筒状胴体そのものの押し潰しを可能とする押し潰し予定線を有すること、
（９）前記外装体の底壁は、前記押し潰し予定線につながるとともに、前記筒状胴体の押し潰しに合わせて当該底壁を筒状胴体の内方へ向けて屈曲させる屈曲予定線を有する開放構造であること、
（１０）前記外装体の筒状胴体は、外力を付加することにより胴体壁部を該筒状胴体の内方へ向け局所的に陥没変形可能な一以上の易変形壁を有すること、
（１１）前記外装体の筒状胴体は、底壁から上端の開口部に至るまでの全長にわたり略同等の開口面積を有していること、
（１２）前記外装体は、その頭部に、少なくとも前記封止構造部から露出した前記液状物注出用シート状ノズルを覆うための着脱可能なキャップを具えること、
（１３）前記包装袋は、一枚のプラスチックフィルム、あるいは一枚以上のプラスチックフィルムまたは金属製の箔を含む複数枚のプラスチックフィルムを積層させたラミネートフィルムからなり、前記外装体は、紙または紙を基材としてこれに少なくとも一層のプラスチックフィルムを積層させてなるプラスチックと紙の複合体からなること、
（１４）前記液状物注出用シート状ノズルは、前記包装袋内の液状物の注出を、該包装袋の傾動または包装袋への押圧によって外気を吸い込むことなく行うと共に、包装袋の起立復帰または包装袋への押圧の解除に基づく注出の停止に当っては、前記液状物注出用シート状ノズルの注出通路内面を、包装袋内から流入した液状物の薄膜の介在下で直ちに密閉させることにより、包装袋内への外気の侵入を阻止するセルフシール機能を有すること、
がより好ましい実施形態となる。
【発明の効果】
【００１０】
本発明に係る液状物充填用複合パックによれば、外装体の筒状胴体の上端の開口部を、複数の縦リブと天面板からなる封止構造部によって封止するようにしたため、内装体を収納する外装体の筒状胴体を、箱形柱状体とすることが可能となり、該筒状胴体の底部から上部まで液状物の収容に寄与させることができる。そのため、液状物の容量効率が、ペットボトルと同程度まで向上し、さらに、複数個を並べて陳列等した際の納まりが良く、省スペース化を図ることができる。
【００１１】
また、本発明の液状物充填用複合パックによれば、外装体の筒状胴体の上端の開口部に設けた封止構造部の、１の縦リブが、内装体の上端部または側端上部から突出する液状物注出用シート状ノズル（以下、「シート状ノズル」とも言う。）を挟持して格納するカバー縦リブとなり、該シート状ノズルが、薄肉の軟質プラスチックフィルムからなる場合においても輸送等の取り扱い時に変形したり、誤って開封されてしまうおそれがなく、また該１の縦リブのみを、切り離し予定線に沿って切り取って、前記シート状ノズルを外部に露出させて使用に供することができる。
【００１２】
また、本発明において、前記封止構造部を構成する複数の前記縦リブを、前記天面板と連なる一対の起立壁の重ね合わせにより形成したことにより、外装体の筒状胴体の上端の開口部を、外装体の高さを抑えながら封止することができる。
【００１３】
また、本発明によれば、前記封止構造部の縦リブを手指で相互に離反する方向に引っ張ることで、前記筒状胴体の上端の開口部を簡単に開封することができるため、内装体を外装体内から取り出して、それぞれ材料ごとに分別して廃棄することができる。さらに、本発明によれば、複数個の液状物充填用複合パックを封止構造部に設けた複数（好ましくは３つ以上）の縦リブを介して積み上げることができるため、運搬時や陳列時等における省スペース化を図ることができる。
【００１４】
また、本発明によれば、前記縦リブはそれぞれ独立した状態にあり、あるいは中心部分に設けた切込みによって分断されているため、独立して柔軟に撓む等することができるため、例えば、本発明の液状物充填用複合パックが不測に落下等したとしても、その衝撃は、各縦リブによって吸収されることとなり、該縦リブの接合部が簡単に剥離することがない上、液状物充填用複合パック（外装体）をもとの形状のままに保つことができる。
【００１５】
本発明において、前記内装体を、少なくとも頂部後方（ノズルの突設位置とは反対側）の上端部で、前記外装体に接合して固定した場合には、該液状物充填用複合パックを、液状物を注出するためにシート状ノズルが下向きとなるように傾動させた際の、該シート状ノズルの変形が抑制されてスムーズな注ぎ出しが可能になり、シート状ノズルがセルフシール機能を有する場合にも、注出通路内表面どうしの密着が阻害されることがなく、外気の侵入を十分に阻止することができる。
【００１６】
なお、前記内装体を構成するために用いられる包装袋は、一枚のプラスチックフィルム、あるいは一枚以上のプラスチックフィルムまたは金属製の箔を含む複数枚のプラスチックフィルムを積層させたラミネートフィルムによって形成することが好ましく、とくに腰の有するフィルムを用いた場合には、液状物を注出するために液状物充填用複合パックを傾動等させた際の、内装体へのシワの発生を抑制することができ、また内装体のずり落ちを抑制することができる。
【００１７】
さらに、本発明において、前記外装体の、前記シート状ノズルの直下に位置する筒状胴体およびその対向位置の筒状胴体の少なくとも二箇所に押し潰し予定線を設けたこと、さらには、外装体の底壁に、該押し潰し予定線につながり、該底壁を筒状胴体の内方へ屈曲させる屈曲予定線を設けた場合には、外装体を、その筒状胴体への手指による押圧によって前記押し潰し予定線および屈曲予定線に沿って、押し潰すことができるため、手指による押圧量によって液状物の注出量を調整することができると共に、液状物の残量が少なくなった場合にも、液状物を最後まで絞り出すことができる。
【００１８】
さらに、本発明では、前記封止構造部から外部に露出した前記シート状ノズルを覆うことのできる、着脱可能なキャップを外装体に設けることで、該シート状ノズルの開封後に保管等する場合においても、その注出口が汚れるのを防止することができ、衛生的であると共に、該キャップが、前記シート状ノズルの挟持構造を具える場合には、シート状ノズルの開封後に液状物充填用複合パックが不測に倒伏等することがあっても、液状物が漏れ出すことを防止することができる。
【図面の簡単な説明】
【００１９】
【図１】本発明の液状物充填用複合パックの一実施形態を示す斜視図である。
【図２】図１の液状物充填用複合パックの背面側の上部部分を示す斜視図である。
【図３】図１の液状物充填用複合パックの平面図である。
【図４】図１の液状物充填用複合パックの底面図である。
【図５】図１の液状物充填用複合パックを構成する外装体の、内装体の収納前の状態を示す斜視図である。
【図６】図５の外装体内に内装体を収納する様子を示す斜視図である。
【図７】図１に示した液状物充填用複合パックの外装体に設けたカバーを切り取る方法を説明する図である。
【図８】液状物充填用複合パックの外装体に設けたカバーの他の実施形態を示す図である。
【図９】本発明の液状物充填用複合パックの他の実施形態を示す斜視図である。
【図１０】本発明の液状物充填用複合パックの他の実施形態を示す斜視図である。
【図１１】本発明の液状物充填用複合パックの封止構造部の他の実施形態を示す斜視図である。
【図１２】連結片の構造を示す斜視図である。
【図１３】本発明の液状物充填用複合パックの他の実施形態を示す斜視図である。
【図１４】本発明の液状物充填用複合パックの外装体の頭部に設けたキャップの一例を示す斜視図である。
【図１５】（ａ）、（ｂ）は図１４のキャップのＡ−Ａ位置における端面図であり、（ｃ）は本発明の液状物充填用複合パックの外装体の縦リブに窓孔を設けた状態を示す斜視図である。
【図１６】本発明の本発明の液状物充填用複合パックの外装体の頭部に設けるキャップの他の例を示す斜視図である。
【図１７】本発明の液状物充填用複合パックを構成する内装体の一実施形態を示す斜視図である。
【発明を実施するための形態】
【００２０】
本発明の液状物充填用複合パックＰは、プラスチックフィルム等からなる軟質の包装袋内に液状物を充填した袋状の内装体と、該内装体を収納保持する紙製等からなる箱形の外装体とから構成され、以下に、本発明の特徴を図示の実施形態に基づいて説明する。
【００２１】
図１は、液状物充填用複合パックＰの一実施形態を示す斜視図であり、図２は、図１の液状物充填用複合パックＰの背面側の上部部分を示す斜視図であり、図３は液状物充填用複合パックＰの平面図であり、図４は液状物充填用複合パックＰの底面図である。
【００２２】
液状物充填用複合パックＰは、図１に点線で示す内装体３０と、該内装体３０を収納保持する外装体１０とから構成される。内装体３０と外装体１０は、少なくとも１カ所において相互に接合させて、両者を固定することが好ましく、その固定部２８としては、図１に示すように内装体３０の頂部後方（シート状ノズル３１の突設位置とは反対側）の上端部とすることが好ましい。固定部２８を設けることにより、液状物充填用複合パックＰを、液状物を注出するためにシート状ノズル３１が下向きとなるように傾動させた際に、シート状ノズル３１が変形等することがなく、スムーズな注ぎ出しが可能になると共に、シート状ノズル３１が、後述するような外気の侵入を阻止するセルフシール機能を有する場合にも、注出通路内面どうしの密着が阻害されることなく、外気の侵入を十分に阻止することができる。
【００２３】
固定部２８は、図１に示すようにさらに内装体３０のシート状ノズル３１直下位置に設けても良く、この場合には、図に示すように外装体１０の一部を切欠いて内方へ押込み、該切欠き部内面を、内側に位置する内装体３０の外面に貼着等することで形成することができる。
【００２４】
液状物充填用複合パックＰの上部は、図３の平面図に示すように、放射状（十字状）に配列された一対の起立壁からなる４つの縦リブ１７ａ〜１７ｄと天面板１８とからなる封止構造部１３によって封止されてなり、一方、液状物充填用複合パックＰの下部は、図４の底面図に示すように、底壁２５を有し、該底壁２５は、筒状胴体１２の下縁から連続する複数の底板（図４では４枚）同士を係合あるいは貼着することで形成される。なお、本発明の液状物充填用複合パックＰは、包装袋内に液状物が充填された内装体３０と外装体１０とからなり、外装体１０内に直接、液状物を充填することがないため、外装体１０の底壁２５は、自立性の付与と内装体３０の抜け落ちが防止できるようなものであればよい。
【００２５】
まず、外装体１０について説明する。図１に示すように、外装体１０は、筒状胴体１２と該筒状胴体１２の上端の開口部１２’（以下、１２’を「上端開口部」と記す。）を封止するための封止構造部１３とを具えている。なお、封止構造部１３は、放射状に配列された一対の起立壁からなる４つの縦リブ１７ａ〜１７ｄと、該縦リブ１７ａ〜１７ｄと上端開口部１２’とをつなぐ天面板１８から構成されている。
【００２６】
本実施形態では、外装体１０の筒状胴体１２が四角柱状体からなる場合を一例として示しているが、本発明はこれに限定されるものではなく、筒状胴体１２は箱形柱状体であればよく、三角柱状や五角柱状などの多角柱状の他、円柱状とすることもできる。
【００２７】
また、外装体１０の材質はとくに限定されないが、紙または紙を基材としてこれに少なくとも一枚の、例えばナイロンやポリエステル、ポリエチレン等のプラスチックフィルムを積層させた紙とプラスチックの複合体からなることが好ましく、所要に応じて金属箔や金属蒸着層、各種バリア層等を積層させることがさらに好ましい。なお、外装体１０は一枚のシートを折り曲げることで所望の形状に成形することができるものを用いることが可能であり、製造効率を向上させる点で好ましい。
【００２８】
図５は、内装体３０を収納する前の、外装体１０の一実施形態を示す斜視図である。筒状胴体１２は、その上端縁に上端開口部１２’を封止するための封止構造部１３を形成する環状体１１が設けられている。図６に示すように、筒状胴体１２の上端開口部１２’を通して、液状物が充填された内装体３０が収納されるが、このとき、外装体１０の封止構造部１３上端縁と、収納された内装体３０の上端縁とを重ね合わせて（例えば、部分的に貼着等させて）おくことが、内装体３０と外装体１０とを固定する上および内装体３０のシート状ノズル３１を所定の位置に配置させる上で好ましい。
【００２９】
環状体１１を、筒状胴体１２の４つの角部から延びる山折り線１４と、該山折り線１４間に設けられた谷折り線１５に沿って折り畳み、谷折り線１５の４つの内側先端部１６を相互に突き合わせることで、図１および図３に示すような一対の起立壁からなり、放射状（十字状）に位置する４つの縦リブ１７ａ〜１７ｄ（山折り部）と、縦リブ１７ａ〜１７ｄと上端開口部１２’との間に形成された天面板１８とからなる封止構造部１３が形成される。
本実施形態では、封止構造部１３に、４つの縦リブ１７ａ〜１７ｄが設けられているが、縦リブは３つ以上設けることが好ましく、目的や用途等に合わせて適宜選定することが好ましい。
【００３０】
このようにして構成された液状物充填用複合パックＰでは、外装体１０の筒状胴体１２の底部から上部まで全長に亘って同じ開口面積で液状物を充填させることができると共に、筒状胴体１２の上端開口部１２’を、該上端開口部１２’に設けた封止構造部１３によって封止することで、液状物充填用複合パックＰの高さを、できる限り低くすることができるため、液状物の容量効率（液状物の容量／外容器高さ）を、従来技術に示した外容器の２倍以上、一般に流通しているペットボトルと同程度まで高めることができるという効果が期待できる。
【００３１】
また、この液状物充填用複合パックＰでは、封止構造部１３の４つの縦リブ１７ａ〜１７ｄが、上記したように谷折線１５の４つの内側先端部１６を相互に突き合わせて形成されているため、上端開口部１２’を、対向する２つの縦リブ、図１では縦リブ１７ａと縦リブ１７ｃ、または縦リブ１７ｂと縦リブ１７ｄを手指で相互に離反する方向に引っ張ることで簡単に開封することができ、使用後において、内装体３０を外装体１０内から取り出して、それぞれ材料ごとに分別して廃棄することができる。
【００３２】
なお、４つの縦リブ１７ａ〜１７ｄのうちの１つ、図１では縦リブ１７ａの一対の起立壁の間に、点線で示すように内装体３０のシート状ノズル３１が格納され、該縦リブ１７ａがシート状ノズル３１のカバー１９として機能することになる。これにより、シート状ノズル３１は、使用開始までカバー１９によって表裏の両面から保護されることになるため、輸送等の取り扱い時において、シート状ノズル３１が変形したり、誤開封するおそれがない。なお、シート状ノズル３１の少なくとも一部をカバー１９の内面に剥離可能に貼着または融着しておけば、シート状ノズル３１の変形等をより一層、抑制することができる。
【００３３】
一方、残りの３つの縦リブ１７ｂ〜１７ｄは、重なり合う一対の起立壁同士が、少なくとも上端部において貼着または融着されて筒状胴体１２の上端開口部１２’を、天面板１８と協働して封止する封止片となる。このとき、縦リブ１７ｂ〜１７ｄの一対の起立壁間には、内装体３０の上端部を挟み込むことが、内装体３０と外装体１０とを固定する上で好ましい。
【００３４】
本実施形態では、４つの縦リブ１７ａ〜１７ｄがそれぞれ筒状胴体１２の平面視において、その４つの角部を通る直線上に設けられているが、少なくともシート状ノズル３１を収納保持するカバー１９となる縦リブ１７ａが、筒状胴体１２の少なくとも１の角部を通る直線上に位置していればよい。
【００３５】
カバー１９は、図１に示すように、封止構造部１３に設けたミシン目等からなる切り離し予定線２０に沿って切り取ることが可能であり、カバー１９を切り取ることで内側に位置するシート状ノズル３１を外部に露出させることができる。
【００３６】
なお、縦リブ１７ａを構成する一対の起立壁は、図２および図３に示すように一方がフラップ２１からなり、該フラップ２１は、図７に示すように山折り線１４または図８に示すように縦リブ１７ａ上端縁を起点として開閉可能となっている。
【００３７】
図７の場合を一例として、カバー１９を切り取る方法を説明すると、まず、フラップ２１を山折り線１４を起点として手指で開いた後、もう一方の壁に設けた切り離し予定線２０に沿って、縦リブ１７ａ（カバー部１９）を切り取り、シート状ノズル３１を外部に露出させる。なお、フラップ２１は、少なくとも一部を、縦リブ１７ａの他方側の起立壁に貼着または融着させて、使用開始まで内側に位置するシート状ノズル３１の、外部への露出を抑制することが好ましい。
【００３８】
また、外装体１０は、シート状ノズル３１の直下に位置する筒状胴体１２（図１では四角柱の角部）に一の押し潰し予定線２４ａを設け、その対向位置の筒状胴体１２（図１では四角柱の他の角部）に他の押し潰し予定線２４ｂを設けることが好ましい。さらに、底壁２５には、図４に示すように押し潰し予定線２４ａ、２４ｂにつながり、底壁２５を筒状胴体２０の内方へ向けて屈曲させるミシン目等からなる屈曲予定線２６を設けることが好ましい。
これにより、外装体１０の筒状胴体１２を、押し潰し予定線２４ａ、２４ｂおよび屈曲予定線２６に沿って、筒状胴体１２が平たくなるまで押し潰すことができるため、手指による押圧量によって液状物の注出量を調整することができると共に、液状物の残量が少なくなった場合にも、該液状物を最後まで絞り出すことができる
なお、図１では、外装体１０の筒状胴体１２が四角柱状体からなるため、押し潰し予定線２４ｂが、筒状胴体１２の角部に位置しているが、該押し潰し予定線２４ｂについては筒状胴体１２の形状に応じて筒状胴体１２の壁部に適宜設ける。
【００３９】
図９は、本発明の液状物充填用複合パックＰの他の実施形態を示す斜視図である。この液状物用充填パックＰでは、外装体１０の筒状胴体１２壁面の、手指で把持する位置、例えば筒状胴体１２の高さ方向中央位置から上下に例えば５ｃｍ程度の範囲に、水平方向に延びる複数本の凹条２９が設けられている。この凹条２９によって手指で把持した際の滑り落ちを抑制することができる。なお、凹条２９は、外装体１０を構成する紙等の材料に所要の形状でプレスすることで形成することができる。
【００４０】
図１０は、本発明の液状物充填用複合パックＰの他の実施形態を示す斜視図であり、図１の液状物充填用複合パックＰとは、外装体１０の縦リブ１７ａを構成する一対の起立壁の構造が異なっている。この液状物充填用複合パックＰでは、前記起立壁が、同一形状からなり、切り離し予定線２０が、該２枚の起立壁にそれぞれ同一の形状で形成されているため、該二重の起立壁、すなわちカバー１９を一度に切り取ることができる。
【００４１】
図１１は、本発明の液状物充填用複合パックＰの、封止構造部１３の他の実施形態を示す斜視図である。図１１に示すように、各縦リブ１７ａ〜１７ｄは、中心部分に設けられた切込み３７を介してそれぞれ分断されている。このため、４つの縦リブ１７ａ〜１７ｄは、それぞれ独立状態で保持されることになり、液状物充填用複合パックＰが、取り扱い時等に誤って落下したとしても、各縦リブ１７ａ〜１７ｄが柔軟に撓む等してその衝撃を吸収するため、縦リブ１７ａ〜１７ｄの（壁同士の）接合が剥離したり、変形等するのが抑制され、液状物充填用複合パックＰ（外装体１０）をもとの形状のままに保つことができる。また、対向する２つの縦リブ（縦リブ１７ａと縦リブ１７ｃ、あるいは縦リブ１７ｂと縦リブ１７ｄ）を手指で相互に離反する方向に引っ張ると、切込み３７が起点となって、封止構造部１３を簡単に開封させることができる。さらに、４つの縦リブ１７ａ〜１７ｄがそれぞれ独立状態にあるため、その二枚の起立壁の内面どうしを重畳させ易くなり、封止構造部１３を簡単に成形することができる。
【００４２】
各縦リブ７ａ〜７ｄの上端部には、図１２（ａ）に示すように、一方の起立壁と、他方の起立壁とを相互に連結する少なくとも一の連結片２２を設けることが好ましい。連結片２２によって、一対の起立壁からなる縦リブ１７ａ〜１７ｄの壁同士の接合強度が向上するため、液状物充填用複合パックＰが、取り扱い時等に誤って落下したとしても、縦リブ１７ａ〜１７ｂの（一対の起立壁同士の）接合が剥離したり、変形等することがなく、液状物充填用複合パックＰ（外装体１０）をもとの形状のままに保つことができる。
【００４３】
この連結片２２は、外装体１０とは別部材によって形成する他、図１２（ｂ）に一例として示したように、縦リブ１７ｃを構成する一対の起立壁の一方の壁から連続して突片２２ａを設け、該突片２２ａを、もう一方の壁の壁面に対して折畳み、貼着等することで、二枚の起立壁を連結する連結片２２を形成することができる。
【００４４】
なお、連結片２２は、縦リブ１７ａおよび１７ｂの壁面に強固に貼着等されているため、例えば、液状物充填用複合パックＰの廃棄時など、外装体１０から内装体３０を取り出す際に、連結片２２を手指による力で破断させることができず、封止構造部１３を容易に開放することができないおそれがある。そのため、図１２（ａ）に拡大して示すように、連結片２２の、縦リブ１７ｃを構成する二重の起立壁の間であって、好ましくは谷折り線１５の内側先端部１６側の端部に切欠き部２３を設けることが好ましく、これによって、対向する２つの縦リブ（縦リブ１７ａと縦リブ１７ｃ、あるいは縦リブ１７ｂと縦リブ１７ｄ）を手指で相互に離反する方向に引っ張ると、切欠き部２３が起点となって、連結片２２を簡単に破断させることができる。
【００４５】
図１３に本発明の液状物充填用複合パックＰの他の実施形態を示す。この液状物充填用複合パックＰでは、外装体１０の封止構造部１３として３つの縦リブ１７ａ〜１７ｃが設けられている。また、図に示すように、外装体１０の筒状胴体１２の角部や、図示はしていないが、筒状胴体１２を手指で把持する際に指が位置することになる胴体壁部に、内方へ陥没変形可能な易変形部２７を設ければ、該易変形部２７を介して外装体１０を手指で把持することで、外装体１０が持ちやすくなり、手指からの滑り落ちを抑制することができる。
【００４６】
また、図１４に示すように、外装体１０の頭部に樹脂製や紙製等のキャップ３８を着脱可能に設けた場合には、液状物充填用複合パックＰをシート状ノズル３１の開封後に長期に保管する場合においても、外部に露出したシート状ノズル３１の注出口が汚れるのを防止することができるため衛生的である。なお、キャップ３８は、図１４に示すような外装体１０の封止構造部１３と略同形状（封止構造部１３よりも若干大きい形状）の、リブ３８ａ〜３８ｄが放射状（十字状）に形成されてなるものが好ましいが、少なくともシート状ノズル３１を覆うことができればどのような形状であってもよい。
【００４７】
なお、キャップ３８は、少なくともシート状ノズル３１を挟持する縦リブ１７ａを覆うリブ３８ａが、シート状ノズル３１の少なくとも一部分を、両側面から挟み込むことのできる挟持構造を具えることが好ましく、該挟持構造によって、シート状ノズル３１の注出通路が膨らむ方向（開口する方向）に作用する力が抑えられて、シート状ノズル３１の開封後に、液状物充填用複合パックＰが不測に倒伏等することがあっても、液状物が漏れ出すのを防止することができる。
前記挟持構造としては、例えば、図１４のＡ−Ａ位置における端面図（図１５（ａ）、（ｂ））に示すように、リブ３８ａを構成する一対の壁部３９ａ、３９ｂの内面に、互いに当接するような挟持部４０ａ、４０ｂを設けること（図１５（ａ））や、一対の壁部３９ａ、３９ｂの内面に１以上の凹凸を設けて係合させること（図１５（ｂ））の他、図１６に示すように一対の壁部３９ａ、３９ｂの長さ方向に、くの字状の折曲げ部４２を設けることなど、シート状ノズル３１を両側面から挟持することができればどのような構造であってもよい。
【００４８】
なお、図１５（ｃ）に示すように、縦リブ１７ａに窓孔４１を設け、該窓孔４１にキャップ３８の挟持部４０、４１を嵌め込むようにすれば、キャップ３８を、外装体１０の頭部に嵌めた際の納まりが良くなると共に、キャップ３８の脱落を防止することができる。また、窓孔４１を設けることにより、縦リブ１７ａの内側に位置するシート状ノズル３１を外部から視認することができる。
【００４９】
さらに、キャップ３８は、外装体１０の頭部からの脱落を防止するための係合構造を有することが好ましく、例えば、キャップ３８の下端部と外装体１０の側面に凹凸を設けて両者を係合させることで両者をしっかりと固定することができる。
【００５０】
次に、内装体３０について説明する。内装体３０は、図１７に一例として示すように、一枚のプラスチックフィルム、あるいは一枚以上のプラスチックフィルムまたは金属製の箔を含む複数枚のプラスチックフィルムを積層させたラミネートフィルムからなる包装袋３２に液状、粘稠状等の各種の液状物を、例えば、液中シール充填により充填包装してなるものを用いることができる。とくに、包装袋３２が、厚みや腰の有するプラスチックフィルムからなる場合には、包装袋３２へのシワの発生が抑制されてスムーズな注ぎ出しができると共に、液状物を注出するために液状物充填用複合パックＰを傾動等させた際に、内装体３０が下方へずり落ちるのを抑制することができる。
【００５１】
図１７では、内装体３０の側部上部にシート状ノズル３１が突設されているが、該シート状ノズル３１は内装体３０の上端部に突設させてもよい。なお、このシート状ノズル３１は、例えば、先端部寄りに設けたＶノッチ等の切欠き３３に沿って、先端部を切り取ることで開封することができる。また、シート状ノズル３１の下縁部には、開封予定位置近傍の、ノズル基端部３１ａ寄りの位置に、液だれ伝播防止用の突起３４を設けることが好ましく、これによりシート状ノズル３１の開口から垂れた液状物（液だれ）が、突起３４先端から床面に滴下されることになり、液だれによって内装体３０および外装体１０が汚損されるのを防止することができる。
【００５２】
このシート状ノズル３１は、少なくともベースフィルム層と、該ベースフィルム層の両面に積層されたシーラントフィルム層とを具えるプラスチック製のラミネートフィルムからなることが好ましく、該プラスチック製のラミネートフィルムを表裏に重ね合わせた状態で、基端部３１ａを除いて周縁部で熱融着することで中央部に注出通路３５が区画形成されている。
とくに、シート状ノズル３１が、セルフシール機能を有する場合には、包装袋３２内の液状物の注出を、包装袋３２の傾動または包装袋３２への押圧によって外気を吸い込むことなく行うと共に、包装袋３２の起立復帰または包装袋３２への押圧の解除に基づく注出の停止に当っては、包装袋３２内の減圧雰囲気に伴う負圧に晒されて、シート状ノズル３１の注出通路３５内面どうしが、注出通路３５の内表面に付着する（包装袋３２内から流入した）液状物による薄膜の介在下で直ちに密着し、包装袋３２内への外気の侵入を阻止することができる。
【００５３】
また、シート状ノズル３１は、開封予定位置から基端部３１ａ側の、好ましくは開封予定位置近傍に、注出通路を横断し、該シートノズル３１を構成する表裏のプラスチックフィルム同士の密着による押圧加工部３６を有することが好ましい。この押圧加工部３６は、例えば、所要の横断面形状を有する押込刃によって、前記表裏の積層プラスチックフィルムを、同一方向または相互に対向する方向に所要の温度および圧力で加熱加圧して、屈曲または変曲させることにより形成することができ、例えば断面山型状の変曲部や断面台形状の屈曲部等からなる。
【００５４】
このように形成された屈曲部または変曲部からなる押圧加工部３６は、注出通路３５内に流入した液状物の液圧によって、押圧加工部３６位置の表裏の積層プラスチックフィルムが相互に離反すると共に伸びた状態となる一方、液状物の注出の停止に伴って、該積層プラスチックフィルムが弾性復元力によって迅速に原形状へと戻り、相互に線状または面状に密着して、シート状ノズル３１の注出通路３５を自動的に遮断する。このとき、シート状ノズル３１が前記のようなセルフシール機能を有すると、液状物の注出の停止に伴って、押圧加工部３６位置の表裏の積層プラスチックフィルムが相互に密着する前に、注出通路３５内および先端開口近傍に残留する液状物が、包装袋３２内の減圧雰囲気に伴う負圧に晒されて包装袋３２内に吸い込まれるため、液切れ性が向上し、先端開口からのポタ落ちを有効に抑制することができる。なお、押圧加工部３６は、表裏のプラスチックフィルムが、互いに液状物の吐出方向に０．５〜５．０ｍｍの幅で密着している場合に、より効果的に液切れ性を向上させることができる。
【産業上の利用可能性】
【００５５】
本発明の液状物充填用複合パックは、飲料や医薬品、化学品等の液状や粘稠状の液状物を充填包装するための容器として広く利用することができる。
【符号の説明】
【００５６】
Ｐ  液状物充填用複合パック
１０  外装体
１１  環状体
１２  筒状胴体
１２’  上端開口部
１３  封止構造部
１４  山折り線
１５  谷折り線
１６  内側先端部
１７ａ、１７ｂ、１７ｃ、１７ｄ  縦リブ  
１８  天面板
１９  カバー
２０  切り離し予定線
２１  フラップ
２２  連結片
２２ａ  突片
２３  切欠き部
２４ａ、２４ｂ  押し潰し予定線  
２５  底壁
２６  屈曲予定線
２７  易変形部
２８  固定部
２９  凹条
３０  内装体
３１  シート状ノズル
３１ａ  基端部
３２  包装袋
３３  Ｖノッチ
３４  突起
３５  注出通路
３６  押圧加工部
３７  切込み
３８  キャップ
３８ａ、３８ｂ、３８ｃ、３８ｄ  リブ
３９ａ、３９ｂ  壁部
４０ａ、４０ｂ  挟持部
４１  窓孔
４２  折曲り部
【図１】
2019089597.tif 000003
【図２】
2019089597.tif 000004
【図３】
2019089597.tif 000005
【図４】
2019089597.tif 000006
【図５】
2019089597.tif 000007
【図６】
2019089597.tif 000008
【図７】
2019089597.tif 000009
【図８】
2019089597.tif 000010
【図９】
2019089597.tif 000011
【図１０】
2019089597.tif 000012
【図１１】
2019089597.tif 000013
【図１２】
2019089597.tif 000014
【図１３】
2019089597.tif 000015
【図１４】
2019089597.tif 000016
【図１５】
2019089597.tif 000017
【図１６】
2019089597.tif 000018
【図１７】
2019089597.tif 000019
【手続補正書】
【提出日】平成30年4月13日(2018.4.13)
【手続補正１】
【補正対象書類名】特許請求の範囲
【補正対象項目名】請求項１１
【補正方法】変更
【補正の内容】
【請求項１１】
前記外装体の筒状胴体は、外力を付加することにより胴体壁部を該筒状胴体の内方へ向け局所的に陥没変形可能な一以上の易変形部を有することを特徴とする請求項１〜１０のいずれか１項に記載の液状物充填用複合パック。
【手続補正２】
【補正対象書類名】明細書
【補正対象項目名】０００９
【補正方法】変更
【補正の内容】
【０００９】
また、本発明の液状物充填用複合パックは、
（１）前記外装体の筒状胴体は、３つもしくはそれ以上の角部を有する箱形柱状体からなり、複数の前記縦リブの少なくとも１つは、該箱形柱状体の平面視において、該角部の少なくとも１つを通るように放射状または対角線状に位置していること、
（２）複数の前記縦リブのうちの一つが、前記液状物注出用シート状ノズルを挟持するカバー縦リブであり、該カバー縦リブは、該液状物注出用シート状ノズルを露出させ得る切り離し予定線を有すること、
（３）前記縦リブは、中心部分に複数の切込みを有すること、
（４）前記縦リブは、前記天面板と連なる一対の起立壁を重ね合わせて形成されてなること、
（５）前記縦リブは、一方の起立壁と、他方の起立壁とを相互に連結する少なくとも一の連結片を有すること、
（６）前記連結片は、前記縦リブを構成している各起立壁を相互に離反させる外力の付加により、その部位を起点に該連結片を破断させる切欠き部を有すること、
（７）前記内装体は、少なくとも頂部後方の上端部に、前記外装体と接合する固定部を有すること、
（８）前記外装体は、前記液状物注出用シート状ノズルの直下に位置する筒状胴体およびその対向位置の筒状胴体の少なくとも二箇所に、該外装体の軸芯に沿って伸延し、該筒状胴体への外力の付加によりその部位を起点に該筒状胴体そのものの押し潰しを可能とする押し潰し予定線を有すること、
（９）前記外装体の底壁は、前記押し潰し予定線につながるとともに、前記筒状胴体の押し潰しに合わせて当該底壁を筒状胴体の内方へ向けて屈曲させる屈曲予定線を有する開放構造であること、
（１０）前記外装体の筒状胴体は、外力を付加することにより胴体壁部を該筒状胴体の内方へ向け局所的に陥没変形可能な一以上の易変形部を有すること、
（１１）前記外装体の筒状胴体は、底壁から上端の開口部に至るまでの全長にわたり略同等の開口面積を有していること、
（１２）前記外装体は、その頭部に、少なくとも前記封止構造部から露出した前記液状物注出用シート状ノズルを覆うための着脱可能なキャップを具えること、
（１３）前記包装袋は、一枚のプラスチックフィルム、あるいは一枚以上のプラスチックフィルムまたは金属製の箔を含む複数枚のプラスチックフィルムを積層させたラミネートフィルムからなり、前記外装体は、紙または紙を基材としてこれに少なくとも一層のプラスチックフィルムを積層させてなるプラスチックと紙の複合体からなること、
（１４）前記液状物注出用シート状ノズルは、前記包装袋内の液状物の注出を、該包装袋の傾動または包装袋への押圧によって外気を吸い込むことなく行うと共に、包装袋の起立復帰または包装袋への押圧の解除に基づく注出の停止に当っては、前記液状物注出用シート状ノズルの注出通路内面を、包装袋内から流入した液状物の薄膜の介在下で直ちに密閉させることにより、包装袋内への外気の侵入を阻止するセルフシール機能を有すること、
がより好ましい実施形態となる。
【手続補正３】
【補正対象書類名】明細書
【補正対象項目名】００４２
【補正方法】変更
【補正の内容】
【００４２】
各縦リブ１７ａ〜１７ｄの上端部には、図１２（ａ）に示すように、一方の起立壁と、他方の起立壁とを相互に連結する少なくとも一の連結片２２を設けることが好ましい。連結片２２によって、一対の起立壁からなる縦リブ１７ａ〜１７ｄの壁同士の接合強度が向上するため、液状物充填用複合パックＰが、取り扱い時等に誤って落下したとしても、縦リブ１７ａ〜１７ｂの（一対の起立壁同士の）接合が剥離したり、変形等することがなく、液状物充填用複合パックＰ（外装体１０）をもとの形状のままに保つことができる。
【手続補正４】
【補正対象書類名】明細書
【補正対象項目名】００４８
【補正方法】変更
【補正の内容】
【００４８】
なお、図１５（ｃ）に示すように、縦リブ１７ａに窓孔４１を設け、該窓孔４１にキャップ３８の挟持部４０ａ、４０ｂを嵌め込むようにすれば、キャップ３８を、外装体１０の頭部に嵌めた際の納まりが良くなると共に、キャップ３８の脱落を防止することができる。また、窓孔４１を設けることにより、縦リブ１７ａの内側に位置するシート状ノズル３１を外部から視認することができる。